【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
第１のノード及び第２のノードを備える通信システムにおいて動作する通信装置であって、
キャリアアグリゲーションに基づき前記第１のノードと前記第２のノードとの通信を招くように配置される回路を備え、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することと、を含み、
前記通信は、前記回路を用いて、前記第２のノードに関連する前記アップリンクプライマリコンポーネントキャリアを介してアップリンク制御シグナリングを伝送することとを含み、
前記第１のノード及び前記第２のノードは互いに共通ベースバンドである、通信装置。
【請求項２】
第１のノード及び第２のノードを備える通信システムにおいて動作する通信装置であって、
キャリアアグリゲーションに基づき前記第１のノードと前記第２のノードとの通信を招くように配置される回路を備え、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することと、を含み、
前記通信は、前記回路を用いて、前記第２のノードに関連する前記アップリンクプライマリコンポーネントキャリアを介してアップリンク制御シグナリングを伝送することとを含み、
前記通信は、前記アップリンクコンポーネントキャリアを上記のように設置する前に、前記ダウンリンクプライマリコンポーネントキャリアと前記アップリンクプライマリコンポーネントキャリアとの間の関連を解除する、通信装置。
【請求項３】
第１のノード及び第２のノードを備える通信システムにおいて動作する通信装置であって、
キャリアアグリゲーションに基づき前記第１のノードと前記第２のノードとの通信を招くように配置される回路を備え、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することと、を含み、
前記通信は、前記回路を用いて、前記第２のノードに関連する前記アップリンクプライマリコンポーネントキャリアを介してアップリンク制御シグナリングを伝送することとを含み、
前記第１のノードはマクロ基地局であり、前記第２のノードは低電力ノード（LPN）である、通信装置。
【請求項４】
第１のノード及び第２のノードを備える通信システムにおいて動作する通信装置であって、
キャリアアグリゲーションに基づき前記第１のノードと前記第２のノードとの通信を招くように配置される回路を備え、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することと、を含み、
前記通信は、前記回路を用いて、前記第２のノードに関連する前記アップリンクプライマリコンポーネントキャリアを介してアップリンク制御シグナリングを伝送することとを含み、
前記第１のノードは第１の周波数で動作し、前記第２のノードは前記第１の周波数よりも大きい第２の周波数で動作する、通信装置。
【請求項５】
第１のノード及び第２のノードを備える通信システムにおいて動作する通信装置であって、
キャリアアグリゲーションに基づき前記第１のノードと前記第２のノードとの通信を招くように配置される回路を備え、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することと、を含み、
前記通信は、前記回路を用いて、前記第２のノードに関連する前記アップリンクプライマリコンポーネントキャリアを介してアップリンク制御シグナリングを伝送することとを含み、
前記通信は、前記通信装置と前記第１のノードとの間の伝送を制御するように、前記回路を用いて、前記第２のノードに関連する前記アップリンクプライマリコンポーネントキャリアを介して前記アップリンク制御シグナリングを伝送することを含む、通信装置。
【請求項６】
第１のノード及び第２のノードを備える通信システムにおいて動作する通信装置であって、
キャリアアグリゲーションに基づき前記第１のノードと前記第２のノードとの通信を招くように配置される回路を備え、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することと、を含み、
前記通信は、前記回路を用いて、前記第２のノードに関連する前記アップリンクプライマリコンポーネントキャリアを介してアップリンク制御シグナリングを伝送することとを含み、
前記通信は、前記回路により、無線資源制御（RRC）シグナリング、メディアアクセス制御（MAC）シグナリング、又は物理層のシグナリングうちの１つを介して前記アップリンクプライマリコンポーネントキャリアに関する指定情報を受信することを含む、通信装置。
【請求項７】
第１のノード及び第２のノードを備える通信システムにおいて動作する通信装置であって、
キャリアアグリゲーションに基づき前記第１のノードと前記第２のノードとの通信を招くように配置される回路を備え、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することと、を含み、
前記通信は、前記回路を用いて、前記第２のノードに関連する前記アップリンクプライマリコンポーネントキャリアを介してアップリンク制御シグナリングを伝送することとを含み、
前記通信は、前記第２のノードに用いる複数のコンポーネントキャリアを集合することと、前記回路により、無線資源制御（RRC）シグナリング、メディアアクセス制御（MAC）シグナリング、又は物理層のシグナリングうちの１つを介して前記アップリンクプライマリコンポーネントキャリアの指定に関する情報を受信することとを含む、通信装置。
【請求項８】
第１のノード及び第２のノードを備える通信システムにおいて動作する通信装置であって、
キャリアアグリゲーションに基づき前記第１のノードと前記第２のノードとの通信を招くように配置される回路を備え、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することと、を含み、
前記通信は、前記回路を用いて、前記第２のノードに関連する前記アップリンクプライマリコンポーネントキャリアを介してアップリンク制御シグナリングを伝送することとを含み、
前記通信は、前記回路を用いて、前記第２のノードに関連する前記アップリンクプライマリコンポーネントキャリアを介して物理アップリンク共有チャネル（PUSCH）信号を送信することを含む、通信装置。
【請求項９】
第１のノード及び第２のノードを備える通信システムにおいて動作する通信装置であって、
キャリアアグリゲーションに基づき前記第１のノードと前記第２のノードとの通信を招くように配置される回路を備え、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することと、を含み、
前記通信は、前記回路を用いて、前記第２のノードに関連する前記アップリンクプライマリコンポーネントキャリアを介してアップリンク制御シグナリングを伝送することとを含み、
前記通信は、前記回路を用いて、前記第２のノードに関連する前記アップリンクプライマリコンポーネントキャリアを介して全てのアップリンク制御シグナリングを送信することを含む、通信装置。
【請求項１０】
無線通信方法であって、
プロセッサーを用いて、キャリアアグリゲーションに基づき第１のノードと第２のノードとの通信を行い、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することとを含み、
前記通信は、前記第２のノードに関連する前記アップリンクプライマリコンポーネントキャリアを介してアップリンク制御シグナリングを伝送することを含み、
前記通信は、前記プロセッサーと前記第１のノードとの間の伝送を制御するように、前記第２のノードに関連する前記アップリンクプライマリコンポーネントキャリアを介してアップリンク制御シグナリングを送信することを含む、無線通信方法。
【請求項１１】
無線通信方法であって、
プロセッサーを用いて、キャリアアグリゲーションに基づき第１のノードと第２のノードとの通信を行い、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することとを含み、
前記通信は、前記第２のノードに関連する前記アップリンクプライマリコンポーネントキャリアを介してアップリンク制御シグナリングを伝送することを含み、
前記通信は、無線資源制御（RRC）シグナリング、メディアアクセス制御（MAC）シグナリング、又は物理層のシグナリングうちの１つを介して前記アップリンクプライマリコンポーネントキャリアに関する指定情報を受信することを特徴とする、無線通信方法。
【請求項１２】
第１のコンポーネントキャリアにおいて第１の周波数で第１のノード及び第２のノードの多地点協調（CoMP）伝送用のアップリンク伝送電力を制御する通信装置であって、
第２のコンポーネントキャリアにおいて前記第１の周波数と異なる第２の周波数で前記第２のノードからのダウンリンク信号を受信し、
前記第２のコンポーネントキャリアにおいて前記第２の周波数で前記第２のノードからの前記ダウンリンク信号の受信に関連する第１のダウンリンク経路損失を確定し、
確定された第１のダウンリンク経路損失に基づき、前記第１のコンポーネントキャリアにおいて前記第１の周波数で前記CoMP伝送を行う前記第２のノードに関連する第２のダウンリンク経路損失を推定し、
前記CoMP伝送用のアップリンク信号伝送電力を補償するように、推定された第２のダウンリンク経路損失に基づき、前記第１のコンポーネントキャリアにおいて前記第１の周波数で前記通信装置から前記第２のノードへ出力する第１のアップリンク信号の第１のアップリンク経路損失を推定するように配置される回路を備える通信装置。
【請求項１３】
前記アップリンク信号は物理アップリンク制御チャンネル（PUCCH）信号、物理アップリンク共有チャネル（PUSCH）信号及びサウンディング参照信号（SRS）うちの１つであることを特徴とする請求項１２に記載の通信装置。
【請求項１４】
前記回路は、前記第１のアップリンク経路損失に基づき、前記第１のコンポーネントキャリアにおいて前記第１の周波数で前記第２のノードへのCoMP伝送用のアップリンク信号伝送電力を補償するように配置される請求項１２に記載の通信装置。
【請求項１５】
前記回路は、
前記第１のコンポーネントキャリアにおいて前記第１の周波数で前記第１のノードからのダウンリンク信号の受信に関連する第３のダウンリンク経路損失を確定すること、及び
前記第３のダウンリンク経路損失に基づいて、前記第１のコンポーネントキャリアにおいて前記第１の周波数で前記通信装置から前記第１のノードへ出力する第２のアップリンク信号の第２のアップリンク経路損失を確定することに基づき、
第１のコンポーネントキャリアにおいて前記第１の周波数で前記第１のノードへのCoMP伝送用のアップリンク信号伝送電力を補償するように配置される請求項１４に記載の通信装置。
【請求項１６】
前記第１のノード及び前記第２のノードの前記CoMP伝送がCoMPシナリオ４に基づく場合、リニアに検出される前記第１のノード及び前記第２のノードのセル固有参照信号の参照信号受信電力を前記第２のノードに関連する受信電力に加算することにより、前記第１のノードに関連する受信電力を取得する請求項１２に記載の通信装置。
【請求項１７】
前記第１のノード及び前記第２のノードの前記CoMP伝送がCoMPシナリオ３に基づく場合、前記第２のノードに関連する受信電力からリニアに検出される前記第１のノード及び前記第２のノードのセル固有参照信号の参照信号受信電力を減算することにより、前記第１のノードに関連する受信電力を取得する請求項１２に記載の通信装置。
【請求項１８】
第１のコンポーネントキャリアにおいて第１の周波数で第１のノード及び第２のノードの多地点協調（CoMP）伝送用のアップリンク伝送電力を制御する無線通信方法であって、
第２のコンポーネントキャリアにおいて前記第１の周波数と異なる第２の周波数で前記第２のノードからのダウンリンク信号を受信するステップと、
前記第２のコンポーネントキャリアにおいて前記第２の周波数で前記第２のノードからの前記ダウンリンク信号の受信に関連する第１のダウンリンク経路損失を確定するステップと、
確定された第１のダウンリンク経路損失に基づき、前記第１のコンポーネントキャリアにおいて前記第１の周波数で前記CoMP伝送を行なう前記第２のノードに関連する第２のダウンリンク経路損失を推定するステップと、
前記CoMP伝送のアップリンク信号伝送電力を補償するように、推定された第２のダウンリンク経路損失に基づき、前記第１のコンポーネントキャリアにおいて前記第１の周波数で通信装置から前記第２のノードへ出力する第１のアップリンク信号の第１のアップリンク経路損失を推定するステップと、を備える無線通信方法。